(57)【要約】【課題】耐久性に優れ、座り心地に影響を与えずに着座者を検出する。【解決手段】着座者を非接触で検出する検出手段１と、検出手段１からの信号を受けて所定の動作を行う動作手段２と、検出手段１及び動作手段２に電力を供給するバッテリを備えている。動作手段２は例えば送風装置５であり、吸込口と吹出口を有する空気通路と、空気通路に設けられ、検出手段１の着座者検出時に回転するファンを有している。検出手段１は着座者の有無に応じた信号を動作手段２に供給する。検出手段１は着座者の有無を非接触で検出するので、着座者の座り心地に影響を与えることがない。また、着座者の体重が検出手段１に掛かることもない。【選択図】図１
2012196335.tif 000002
【特許請求の範囲】
【請求項１】
着座者の着座動作を非接触で検出する検出手段と、前記検出手段からの信号を受けて所定の動作を行う動作手段と、前記検出手段及び前記動作手段に電力を供給するバッテリを備えることを特徴とする事務用椅子。
【請求項２】
前記検出手段は肘掛けの内側面に設けられていることを特徴とする請求項１記載の事務用椅子。
【請求項３】
前記検出手段は左右一対の肘掛けの両方に設けられていることを特徴とする請求項１又は２に記載の事務用椅子。
【請求項４】
前記検出手段は背もたれの前面下部又は前面側部に設けられていることを特徴とする請求項１から３のいずれか１つに記載の事務用椅子。
【請求項５】
前記動作手段は送風装置であり、前記送風装置は、吸込口と吹出口を有する空気通路と、前記空気通路に設けられ、前記検出手段の着座者検出時に回転する空調ファンを有することを特徴とする請求項１から４のいずれか１つに記載の事務用椅子。
【請求項６】
前記検出手段の着座者検出時に発光する発光手段を有することを特徴とする請求項１から５のいずれか１つに記載の事務用椅子。
【発明の詳細な説明】
【技術分野】
【０００１】
本発明は、事務用椅子に関する。更に詳しくは、本発明は、空調等の所定動作を行う動作手段を備えており、使用者の着座により動作手段を自動的に動作させる事務用椅子に関するものである。
【背景技術】
【０００２】
センサを設けて使用者の着座を検出し、空気清浄機を作動させる椅子がある（例えば、特許文献１）。このセンサ付きの椅子を図２４に示す。座１０１と背もたれ１０２の着座者を支持する部分には感圧スイッチ１０３，１０３が設けられている。また、座１０１と肘掛け１０４内にはダクト１０５が形成されており、このダクト１０５の途中には空気清浄機１０６が設けられている。
【０００３】
使用者が椅子に座ると、着座者の体重が感圧スイッチ１０３，１０３に作用するので感圧スイッチ１０３，１０３がオンとなる。これにより、空気清浄機１０６が作動し、吸入口１０７から吸い込んだ空気を清浄した後、吹出口１０８から吹き出させる。一方、着座者が離席すると、感圧スイッチ１０３，１０３がオフとなり空気清浄機１０６が停止する。このように空気清浄機１０６は使用者の体重を検出する感圧スイッチ１０３，１０３によって自動的にオンオフ操作され、使用者が着座しているときにだけ空気清浄機１０６を作動させるようにしている。
【０００４】
また、近年、オフィス環境の変化が著しく、その中で快適なオフィス環境を創り出すことで仕事の効率をあげる事が期待されている。そこで、オフィスにおいて使用される事務用椅子もただ単に座るだけでなく高機能化することが要請されている。
【先行技術文献】
【特許文献】
【０００５】
【特許文献１】実公平６−４９２３５号公報
【発明の概要】
【発明が解決しようとする課題】
【０００６】
しかしながら、上述の椅子は、着座者の体重が作用する位置に感圧スイッチ１０３，１０３を設けているので、感圧スイッチ１０３，１０３が故障し易く、耐久性に劣る。また、感圧スイッチ１０３，１０３を設けることで感圧スイッチ１０３，１０３を設けた部分とその他の部分とでクッションの弾力性に差が生じ、違和感を感じさせて座り心地が悪くなる。そのため、事務用椅子に単純に転用したとしても、仕事の効率化に結びつくことが期待できず、仕事の効率化が求められる事務用椅子の高機能化の要請に対応できない。
【０００７】
本発明は、耐久性に優れ、座り心地に影響を与えずに着座者の検出が可能な事務用椅子を提供することを目的とする。
【課題を解決するための手段】
【０００８】
かかる目的を達成するために、請求項１記載の事務用椅子は、着座者の着座動作を非接触で検出する検出手段と、検出手段からの信号を受けて所定の動作を行う動作手段と、検出手段及び動作手段に電力を供給するバッテリを備えている。したがって、動作手段は着座者の有無に応じて検出手段によって自動的に操作される。検出手段は着座者の有無を検出して動作手段を供給する。検出手段は着座者の有無を非接触で検出するので、着座者の座り心地に影響を与えることがない。また、着座者の体重が検出手段に掛かることもない。
【０００９】
また、請求項２記載の事務用椅子は、検出手段が肘掛けの内側面に設けられている。
【００１０】
また、請求項３記載の事務用椅子は、検出手段が左右一対の肘掛けの両方に設けられている。
【００１１】
また、請求項４記載の事務用椅子は、検出手段が背もたれの前面下部又は前面側部に設けられている。
【００１２】
また、請求項５記載の事務用椅子は、動作手段は送風装置であり、送風装置は、吸込口と吹出口を有する空気通路と、空気通路に設けられ、検出手段の着座者検出時に回転する空調ファンを有するものである。したがって、空調ファンによって空気通路内に空気の流れが形成され、吸込口から吸い込まれた空気は吹出口から吹き出される。
【００１３】
さらに、請求項６記載の事務用椅子は、検出手段の着座者検出時に発光する発光手段を有するものである。
【発明の効果】
【００１４】
請求項１記載の事務用椅子では、検出手段が着座者の有無を非接触で検出するので、座り心地に影響を与えず、座り心地の悪化を防止することができる。そのため、事務用椅子を高機能化しても仕事の効率化を阻害することがない。また、着座者の体重が検出手段に作用することがないので、検出手段が無理な力を受けて破損するのを防止できる。さらに、着座者の有無に応じて動作手段が自動的に操作されるので、着座者がその都度操作を行う煩わしさがなくなり、大変便利であると共に、離席時のスイッチの切り忘れを防止することができる。
【００１５】
ここで、請求項２記載の事務用椅子のように、検出手段を肘掛けの内側面に設けても良く、また、請求項３記載の事務用椅子のように、検出手段を左右一対の肘掛けの両方に設けても良く、さらに、請求項４記載の事務用椅子のように、検出手段を背もたれの前面下部又は前面側部に設けても良い。
【００１６】
また、請求項５記載の事務用椅子では、動作手段が送風装置であり、送風装置は、吸込口と吹出口を有する空気通路と、空気通路に設けられ、検出手段の着座者検出時に回転する空調ファンを有しているので、吸込口から吸い込んだ空気を吹出口から噴出させることができ、着座者に風を当てて冷却や蒸れ防止を行うことができる。
【００１７】
さらに、請求項６記載の事務用椅子では、発光手段の発光に基づいて検出手段の作動状態を視覚的に確認することができる。
【図面の簡単な説明】
【００１８】
【図１】本発明の事務用椅子の第１の実施形態を示す斜視図である。
【図２】同事務用椅子の座を示す分解斜視図である。
【図３】同事務用椅子の左側の肘掛けを示す分解斜視図である。
【図４】同事務用椅子の座アウタシェル及び左側の肘フレームを示す斜視図である。
【図５】同事務用椅子の非接触センサ及び動作手段の制御回路を示すブロック図である。
【図６】同事務用椅子の動作手段の動作を示すフローチャートである。
【図７】本発明の事務用椅子の第２の実施形態を示し、その概略構成を示す正面図である。
【図８】同事務用椅子の座と左側の肘掛けを示す斜視図である。
【図９】同事務用椅子の非接触センサ及び動作手段の制御回路を示すブロック図である。
【図１０】同事務用椅子の動作手段の動作を示すフローチャートである。
【図１１】本発明の事務用椅子の第３の実施形態を示し、その概略構成を示す正面図である。
【図１２】同事務用椅子の非接触センサ及び動作手段の制御回路を示すブロック図である。
【図１３】同事務用椅子の動作手段の動作を示すフローチャートである。
【図１４】本発明の事務用椅子の第４の実施形態を示し、その概略構成を示す正面図である。
【図１５】同事務用椅子の座と背もたれと肘掛けを示す斜視図である。
【図１６】同事務用椅子の非接触センサ及び動作手段の制御回路を示すブロック図である。
【図１７】同事務用椅子の動作手段の動作を示すフローチャートである。
【図１８】本発明の事務用椅子の第５の実施形態を示し、その概略構成を示す正面図である。
【図１９】同事務用椅子の非接触センサ及び動作手段の制御回路を示すブロック図である。
【図２０】同事務用椅子の動作手段の動作を示すフローチャートである。
【図２１】本発明の事務用椅子の第６の実施形態を示し、その概略構成を示す正面図である。
【図２２】同事務用椅子の非接触センサ及び動作手段の制御回路を示すブロック図である。
【図２３】同事務用椅子の動作手段の動作を示すフローチャートである。
【図２４】従来のセンサ付き椅子を示す斜視図である。
【発明を実施するための形態】
【００１９】
以下、本発明の構成を図面に示す形態に基づいて詳細に説明する。
【００２０】
図１〜図６に、本発明の事務用椅子の第１の実施形態を示す。事務用椅子は、着座者の着座動作を非接触で検出する検出手段１と、検出手段１からの信号を受けて所定の動作を行う動作手段２と、検出手段１及び動作手段２に電力を供給するバッテリ３を備えるものである。
【００２１】
本実施形態の事務用椅子は肘掛け４を備えている。検出手段１は肘掛け４の内側面４ａに設けられている。本実施形態では、肘掛け４の肘載せ部４ｂの内側面４ａに検出手段１を設けている。即ち、検出手段１は使用者の着座の有無を検出できる方向に向けて設けられている。本実施形態では左側の肘掛け４に検出手段１を設けている。ただし、右側の肘掛け４に検出手段１を設けても良く、左右両方の肘掛け４に検出手段１を設けても良い。
【００２２】
検出手段（以下、非接触センサという）１は検知距離内において非接触で使用者の着座の有無を検出するもので、例えば赤外線，光，電磁波等の反射を利用して着座者の有無を検出する反射型のモーションセンサ（例えば、パナソニック電工株式会社製ＭＡモーションセンサ等）の使用が可能である。ただし、必ずしも反射型のモーションセンサに限るものではなく、例えば焦電型赤外線センサ等の非接触で着座者を検出できるセンサであれば使用可能である。
【００２３】
本実施形態では、動作手段２として送風装置５を備えている。即ち、本実施形態の動作手段２の動作は、吸い込んだ空気を吹き出して風を作るものである。送風装置５は、吸込口６ａと吹出口６ｂを有する空気通路と、当該空気通路に設けられ、非接触センサ１の着座者検出時に回転するファン７を有している。本実施形態では３箇所、即ち左右の肘掛け４と座８に送風装置５（動作手段２）を設けている。ただし、これら３箇所の全てに送風装置５を設けなくても良く、左右両方の肘掛け４にのみ（２箇所の場合）、左右の肘掛け４のうちいずれか一方にのみ（１箇所の場合）、左右いずれかの肘掛け４と座８にのみ（２箇所の場合）、座８にのみ（１箇所の場合）送風装置５を設けても良い。あるいは、これら３箇所以外（例えば、背もたれ，ヘッドレスト等）に送風装置５を設けても良い。
【００２４】
肘掛け４側の送風装置５は肘載せ部４ｂに設けられている。ただし、肘掛け４の支持部４ｃに送風装置５を設けても良い。本実施形態の事務用椅子の肘掛け４は、図３に示すように、肘フレーム９の載せ部９ａに設けられたリブ９ｂ上に肘パッド１０を載せた構成であり、載せ部９ａの前部近傍位置には吸込口６ａが設けられている。本実施形態では、複数の孔で吸込口６ａを形成しているが、必ずしも複数の孔にする必要はなく、１つの孔で吸込口６ａを形成しても良い。また、肘パッド１０の吸込口６ａに対向する位置には当該肘パッド１０を上下に貫通し、空気通路となる孔が設けられている。即ち、載せ部９ａに設けられた複数の孔とリブ９ｂ間の空間と肘パッド１０に設けられた貫通孔とが肘載せ部４ｂを上下に貫通する一連の通路となり、これにより吸込口６ａと吹出口６ｂを有する空気通路が構成される。空気通路の途中にはファン７が設けられている。本実施形態ではファン７のハウジングを載せ部９ａに固定している。なお、図１では肘パッド１０を半透明体として記載している。
【００２５】
また、本実施形態では、空気の噴出方向を調整するルーバー１１が吹出口６ｂに設けられている。ただし、ルーバー１１を省略しても良い。本実施形態では、ファン７のハウジングを載せ部９ａに固定する固定具１２にルーバー１１を回転可能に取り付けている。
【００２６】
本実施形態の座８は、図２に示すように、座アウタシェル１３に設けられたリブ１３ａ上に、座クッション１４を被せた座インナシェル１５を重ねた構成であり、座アウタシェル１３のほぼ中央位置には吸込口６ａが設けられている。本実施形態では１つの孔で吸込口６ａを形成しているが、必ずしも１つの孔にする必要はなく、複数の孔で吸込口６ａを形成しても良い。また、座インナシェル１５の吸込口６ａに対向する位置には孔１５ａが設けられていると共に、座クッション１４の当該孔１５ａに対向する位置には当該座クッション１４を上下に貫通する孔１４ａが設けられている。本実施形態では、孔１５ａ及び孔１４ａを複数設けているが、必ずしも複数設ける必要はなく、１つの孔にしても良い。即ち、座アウタシェル１３に設けられた孔とリブ１３ａ間の空間と座インナシェル１５に設けられた孔１５ａと座クッション１４に設けられた貫通孔（孔１４ａ）とが座８を上下に貫通する一連の通路となり、これにより吸込口６ａと吹出口６ｂを有する空気通路が構成される。空気通路の途中にはファン７が設けられている。本実施形態ではファン７のハウジングを座アウタシェル１３に固定している。なお、図１では座クッション１４を半透明体として記載している。
【００２７】
さらに、本実施形態では、座クッション１４の上面に、吹出口６ｂから吹き出された風を広い範囲に導く手段（以下、空気誘導手段という）１６が設けられている。本実施形態では空気誘導手段１６として、吹出口６ｂから放射状に広がる複数の溝が設けられている。ただし、空気誘導手段１６としてはこの構成に限るものではない。例えば、螺旋状に広がる単数又は複数の溝としても良く、その他の構成でも良い。また、空気の流れを特定の範囲に集中させたい場合等にはその範囲に向けて単数又は複数の溝を設けることで空気誘導手段１６を形成しても良い。あるいは吹出口６ｂ自体を広い範囲に形成した場合や目的の位置に形成した場合等には空気誘導手段１６を省略しても良い。
【００２８】
また、座クッション１４自体を通気性のあるクッションとすることで空気を誘導するようにしても良い。通気性のあるクッションとしては、例えば三次元スプリング構造体（商品名：ブレスエアー，東洋紡績株式会社）、無膜ウレタン等の使用が可能である。
【００２９】
なお、本実施形態では座クッション１４の表面を表皮部材で覆っていないが、座クッション１４の表面を通気性を有する表皮部材で覆うようにしても良い。
【００３０】
図５に、非接触センサ１及びファン７の制御回路を示す。本実施形態では、同一のバッテリ３によって非接触センサ１とファン７に電力を供給しているが、別々のバッテリ３を使用しても良い。また、各ファン７毎に別々のバッテリ３を設けても良い。ファン７の制御スイッチ１７は、非接触センサ１によってオンオフ操作される。バッテリ３及び制御スイッチ１７は、例えば座アウタシェル１３のリブ１３ａ間の空きスペースに配置されている。
【００３１】
なお、図１〜図３中、符号３３は制御回路の配線である。
【００３２】
また、本実施形態では、非接触センサ１の着座者検出時に発光する発光手段１８を有している。発光手段１８としては、例えば発光ダイオードの使用が可能であるが、必ずしもこれに限るものではなく、例えば豆電球等の使用も可能である。本実施形態では、発光手段１８を非接触センサ１の隣に並べて肘掛け４の肘載せ部４ｂの内側面４ａに設けているが、着座者から見やすい位置であれば他の位置に発光手段１８を設けても良い。
【００３３】
また、本実施形態では、制御回路にメインスイッチ１９を設けている（図１〜図４では図示省略）。メインスイッチ１９は使用者によって直接オンオフ操作され、メインスイッチ１９をオンに切り換えることで、非接触センサ１，送風装置５，発光手段１８の作動が可能になる。メインスイッチ１９は着座者が操作しやすい位置に設けることが好ましい。本実施形態では、メインスイッチ１９を座８の肘掛け４近傍位置に設けている。ただし、メインスイッチ１９を設ける位置はこれに限るものではない。また、メインスイッチ１９を省略しても良い。
【００３４】
次に、事務用椅子の作動について説明する。送風装置５を使用する場合には予めメインスイッチ１９をオンにしておく（図６のステップＳ４１）。そして、事務用椅子が使われていない状態では、非接触センサ１は使用者の着座を検出していないので、送風装置５は停止し、発光手段１８は消えている。即ち、待機状態となっている。
【００３５】
この状態から使用者が事務用椅子に座ると（ステップＳ４２）、非接触センサ１が着座者を検出し、検出信号を出力する（ステップＳ４３：センサｏｎ）。この検出信号を受けた制御スイッチ１７はオンとなり、ファン７が始動し（ファンｏｎ）、発光手段１８が発光する（ステップＳ４４）。ファン７の回転によって吸込口６ａから空気が吸い込まれ、吹出口６ｂから風となって吹き出される（ステップＳ４５）。
【００３６】
このとき、肘掛け４側の送風装置５では、ルーバー１１の向きを変えることで吹出口６ｂからの風の吹き出し方向を調節することができる。この風を着座者に当てることで、体を冷やすことができる。また、座８側の送風装置５では、吹出口６ｂから吹き出された風は空気誘導手段１６に沿って流れ、広範囲に分散して吹き出される。この風を着座者に当てることで、着座者の体を冷やすことができると共に、着座者の臀部等の蒸れを防止することができる。
【００３７】
この状態から着座者が離席すると（ステップＳ４６）、非接触センサ１が離席を検出し、検出信号の出力を停止する（ステップＳ４７、センサｏｆｆ）。これにより、制御スイッチ１７がオフとなり、ファン７が停止し（ファンｏｆｆ）、発光手段１８が消灯し、待機状態となる（ステップＳ４８）。そして、事務用椅子を長時間使用しない場合等には使用者はメインスイッチ１９をオフにする。
【００３８】
なお、着座時に送風装置５を作動させたくない場合等には、メインスイッチ１９をオフにしておけば良い。
【００３９】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じて送風装置５が自動的に操作されるので、着座者がその都度操作を行う煩わしさがなくなり、大変便利であると共に、離席時のスイッチの切り忘れを防止することができる。
【００４０】
また、非接触センサ１がオンになると発光手段１８が発光するので、非接触センサ１の作動状態を視覚的に確認することができる。
【００４１】
次に、本発明の事務用椅子の第２の実施形態について説明する。なお、上述の事務用椅子の部材と同一の部材については同一の符号を付すと共に、それらの詳細な説明は省略する。
【００４２】
図７及び図８に事務用椅子の要部を、図９に非接触センサ１及び動作手段２の制御回路をそれぞれ示す。
本実施形態では、動作手段２としてヒータ２０を備えている。即ち、本実施形態の動作手段２の動作は発熱である。ヒータ２０は、例えばシートヒータであり、座クッション１４の上面に貼り付けられている。ただし、必ずしもシートヒータに限るものではない。また、座クッション１４以外の部材、例えば背もたれ２１や肘載せ部４ｂ等にヒータ２０を設けても良い。非接触センサ１はヒータ２０の制御スイッチ１７をオンオフ操作する。なお、本実施形態の動作手段２は座クッション１４から風を吹き出させるものではないので、座クッション１４に空気誘導手段１６を設けていない。
【００４３】
次に、事務用椅子の作動について説明する。ヒータ２０を使用する場合には予めメインスイッチ１９をオンにしておく（図１０のステップＳ５１）。そして、事務用椅子が使われていない状態では、非接触センサ１は使用者の着座を検出していないので、ヒータ２０は切られており、発光手段１８は消えている。即ち、待機状態となっている。
【００４４】
この状態から使用者が事務用椅子に座ると（ステップＳ５２）、非接触センサ１が着座者を検出し、検出信号を出力する（ステップＳ５３：センサｏｎ）。この検出信号を受けた制御スイッチ１７はオンとなり、ヒータ２０が入れられ、発光手段１８が発光する（ステップＳ５４）。ヒータ２０が入ることで座８の上面が暖かくなり（ステップＳ５５）、着座者の体を温めることができる。
【００４５】
この状態から着座者が離席すると（ステップＳ５６）、非接触センサ１が離席を検出し、検出信号の出力を停止する（ステップＳ５７：センサｏｆｆ）。これにより、制御スイッチ１７がオフとなり、ヒータ２０が切られ（ヒータｏｆｆ）、発光手段１８が消灯し、待機状態となる（ステップＳ５８）。そして、事務用椅子を長時間使用しない場合等には使用者はメインスイッチ１９をオフにする。
【００４６】
なお、着座時にヒータ２０を入れたくない場合等には、メインスイッチ１９をオフにしておけば良い。
【００４７】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じてヒータ２０が自動的に操作されるので、着座者がその都度操作を行う煩わしさがなくなり、大変便利であると共に、離席時のスイッチの切り忘れを防止することができる。
【００４８】
次に、本発明の事務用椅子の第３の実施形態について説明する。なお、上述の事務用椅子の部材と同一の部材については同一の符号を付すと共に、それらの詳細な説明は省略する。
【００４９】
図１１に事務用椅子の要部を、図１２に非接触センサ１及び動作手段２の制御回路をそれぞれ示す。本実施形態では、動作手段２として空気清浄機２２を備えている。即ち、本実施形態の動作手段２の動作は、吸い込んだ空気を清浄した後吹き出させるものである。空気清浄機２２は、吸込口２３ａと吹出口２３ｂを有する空気通路と、空気通路に設けられ、非接触センサ１の着座者検出時に回転するファン２４と、塵や埃等を除去するフィルタ２５を備えている。本実施形態では、右側の肘掛け４に空気清浄機２２を設けているが、これに加えて又はこれに代えて左側の肘掛け４に空気清浄機２２を設けても良い。あるいは座８、背もたれ２１、ヘッドレスト等に空気清浄機２２を設けても良い。
【００５０】
空気清浄機２２は肘載せ部４ｂに設けられている。ただし、肘掛け４の支持部４ｃに空気清浄機２２を設けても良い。本実施形態の肘掛け４は、肘フレーム９の載せ部９ａに設けられたリブ９ｂ上に肘パッド１０を被せた構成であり、では、肘フレーム９の載せ部９ａの前部近傍位置に吹出口２３ｂを設けている。また、肘パッド１０の吹出口２３ｂに対向する位置には当該肘パッド１０を上下に貫通し、空気通路となる孔が設けられている。即ち、載せ部９ａに設けられた孔とリブ９ｂ間の空間と肘パッド１０に設けられた貫通孔とが肘載せ部４ｂを上下に貫通する一連の通路となり、これにより吸込口２３ａと吹出口２３ｂを有する空気通路が構成される。空気通路の途中にはファン２４とフィルタ２５が設けられている。ファン２４及びフィルタ２５は肘フレーム９の載せ部９ａに固定されている。非接触センサ１は空気清浄機２２の制御スイッチ１７をオンオフ操作する。
【００５１】
次に、事務用椅子の作動について説明する。空気清浄機２２を使用する場合には予めメインスイッチ１９をオンにしておく（図１３のステップＳ６１）。そして、事務用椅子が使われていない状態では、非接触センサ１は使用者の着座を検出していないので、空気清浄機２２のファン２４は停止し、発光手段１８は消えている。即ち、待機状態となっている。
【００５２】
この状態から使用者が事務用椅子に座ると（ステップＳ６２）、非接触センサ１が着座者を検出し、検出信号を出力する（ステップＳ６３：センサｏｎ）。この検出信号を受けた制御スイッチ１７はオンとなり、ファン２４が始動し（ファンｏｎ）、発光手段１８が発光する（ステップＳ６４）。ファン２４の回転によって吸込口２３ａから空気が吸い込まれ、フィルタ２５によって清浄となった空気が吹出口２３ｂから排出される（ステップＳ６５，Ｓ６６）。
【００５３】
この状態から着座者が離席すると（ステップＳ６７）、非接触センサ１が離席を検出し、検出信号の出力を停止する（ステップＳ６８、センサｏｆｆ）。これにより、制御スイッチ１７がオフとなり、ファン２４が停止し（ファンｏｆｆ）、発光手段１８が消灯し、待機状態となる（ステップＳ６９）。そして、事務用椅子を長時間使用しない場合等には使用者はメインスイッチ１９をオフにする。
【００５４】
なお、着座時に空気清浄機２２を作動させたくない場合等には、メインスイッチ１９をオフにしておけば良い。
【００５５】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じて空気清浄機２２が自動的に操作されるので、着座者がその都度操作を行う煩わしさがなくなり、大変便利であると共に、離席時のスイッチの切り忘れを防止することができる。
【００５６】
次に、本発明の事務用椅子の第４の実施形態について説明する。なお、上述の事務用椅子の部材と同一の部材については同一の符号を付すと共に、それらの詳細な説明は省略する。
【００５７】
図１４及び図１５に事務用椅子の要部を、図１６に非接触センサ１及び動作手段２の制御回路をそれぞれ示す。なお、図１５では座クッション１４と背クッションの記載を省略し、振動体２７が見えるように記載している。本実施形態では、動作手段２としてマッサージ装置２６を備えている。即ち、本実施形態の動作手段２の動作はマッサージ動作である。マッサージ装置２６は、例えば複数の振動体２７を備えており、座８及び背もたれ２１に設けられている。ただし、必ずしも振動体２７を座８と背もたれ２１の両方に設ける必要はなく、いずれか一方にのみ振動体２７を設けるようにしても良い。また、肘掛け４やヘッドレスト等の座８及び背もたれ２１以外の場所に振動体２７を設けるようにしても良い。さらに、必ずしも振動体２７を複数設ける必要はなく、１つだけ設けるようにしても良い。非接触センサ１はマッサージ装置２６の制御スイッチ１７をオンオフ操作する。
【００５８】
次に、事務用椅子の作動について説明する。マッサージ装置２６を使用する場合には予めメインスイッチ１９をオンにしておく（図１７のステップＳ７１）。そして、事務用椅子が使われていない状態では、非接触センサ１は使用者の着座を検出していないので、マッサージ装置２６は切られており、発光手段１８は消えている。即ち、待機状態となっている。
【００５９】
この状態から使用者が事務用椅子に座ると（ステップＳ７２）、非接触センサ１が着座者を検出し、検出信号を出力する（ステップＳ７３：センサｏｎ）。この検出信号を受けた制御スイッチ１７はオンとなり、振動体２７が振動を開始し（振動体ｏｎ）、発光手段１８が発光する（ステップＳ７４）。振動体２７の振動によって着座者がマッサージを受ける（ステップＳ７５）。
【００６０】
この状態から着座者が離席すると（ステップＳ７６）、非接触センサ１が離席を検出し、検出信号の出力を停止する（ステップＳ７７：センサｏｆｆ）。これにより、制御スイッチ１７がオフとなり、振動体２７の振動が停止され（振動体ｏｆｆ）、発光手段１８が消灯し、待機状態となる（ステップＳ７８）。そして、事務用椅子を長時間使用しない場合等には使用者はメインスイッチ１９をオフにする。
【００６１】
なお、着座時にマッサージ装置２６を作動させたくない場合等には、メインスイッチ１９をオフにしておけば良い。
【００６２】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じてマッサージ装置２６が自動的に操作されるので、着座者がその都度操作を行う煩わしさがなくなり、大変便利であると共に、離席時のスイッチの切り忘れを防止することができる。
【００６３】
次に、本発明の事務用椅子の第５の実施形態について説明する。なお、上述の事務用椅子の部材と同一の部材については同一の符号を付すと共に、それらの詳細な説明は省略する。
【００６４】
図１８に事務用椅子の要部を、図１９に非接触センサ１及び動作手段２の制御回路をそれぞれ示す。本実施形態では、動作手段２として離れた位置にある照明装置（図示せず）をオンオフ操作するリモートコントロールスイッチ（以下、リモコンスイッチという）２８を備えている。即ち、本実施形態の動作手段２の動作は、離れた位置に在る装置類を遠隔でオンオフ操作するものである。リモコンスイッチ２８は、非接触センサ１から検出信号の供給を受け始めるとオン信号を送信し、非接触センサ１からの検出信号の供給が停止されるとオフ信号を送信する。つまり、リモコンスイッチ２８は、非接触センサ１のオフからオンへの切り換えによってオン信号を一時的に送信し、非接触センサ１のオンからオフへの切り換えによってオフ信号を一時的に送信する。照明装置は、リモコンスイッチ２８からのオン信号を受信した場合に照明を点灯させ、オフ信号を受信した場合に照明を消灯させる。
【００６５】
本実施形態では左側の肘掛け４にリモコンスイッチ２８を設けているが、必ずしもこの構成に限るものではなく、これに加えて又はこれに代えて右側の肘掛け４にリモコンスイッチ２８を設けても良い。あるいはその他の場所にリモコンスイッチ２８を設けても良い。
【００６６】
次に、事務用椅子の作動について説明する。リモコンスイッチ２８を使用する場合には予めメインスイッチ１９をオンにしておく（図２０のステップＳ７９）。そして、事務用椅子が使われていない状態では、非接触センサ１は使用者の着座を検出していないので、リモコンスイッチ２８は作動せず、また、発光手段１８は消えている。即ち、待機状態となっている。
【００６７】
この状態から使用者が事務用椅子に座ると（ステップＳ８０）、非接触センサ１が着座者を検出し、検出信号を出力する（ステップＳ８１：センサｏｎ）。この検出信号を受けたリモコンスイッチ２８はオン信号を所定時間送信する（ステップＳ８２）。また、発光手段１８が点灯する。オン信号を受信した照明装置は照明を点灯させる（ステップＳ８３，Ｓ８４）。
【００６８】
この状態から着座者が離席すると（ステップＳ８５）、非接触センサ１が離席を検出し、検出信号の出力を停止する（ステップＳ８６：センサｏｆｆ）。これにより、リモコンスイッチ２８がオフ信号を所定時間送信する（ステップＳ８７）。また、発光手段１８が消灯し、待機状態になる。オフ信号を受信した照明装置は照明を消灯させる（ステップＳ８８，Ｓ８９）。そして、事務用椅子を長時間使用しない場合等には、使用者はメインスイッチ１９をオフにする。
【００６９】
なお、着座時に照明装置を点灯させたくない場合等には、メインスイッチ１９をオフにしておけば良い。
【００７０】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じてリモコンスイッチ２８が自動的に操作されるので、着座者がその都度操作を行う煩わしさがなくなり、大変便利であると共に、離席時のスイッチの切り忘れを防止することができる。
【００７１】
なお、本実施形態では照明装置を遠隔操作するリモコンスイッチ２８を例にしていたが、必ずしも照明装置を遠隔操作するリモコンスイッチ２８に限るものではなく、エアーコンディショナ、空気清浄機、パソコン、テレビ、ラジオ、ステレオ等を遠隔でオンオフ操作するリモコンスイッチに適用しても良い。
【００７２】
また、本実施形態では、リモコンスイッチ２８は非接触センサ１からの検出信号の供給が停止されると（オンからオフに切り換わると）オフ信号を送信していたが、必ずしもこの構成に限るものではなく、例えば、制御回路にタイマを設け、非接触センサ１からの検出信号の供給が停止してから所定時間（例えば数分）経過後にオフ信号を送信するようにしても良い。
【００７３】
また、本実施形態では、リモコンスイッチ２８は非接触センサ１からの検出信号の有無が変化した場合にオン信号又はオフ信号を送信し、照明装置はオン信号又はオフ信号を受信した場合に照明のオン・オフを切り換える構成であったが、必ずしもこの構成に限るものではない。例えば、非接触センサ１から検出信号を受けている間だけリモコンスイッチ２８がオン信号を発信し続け、このオン信号を受けている間だけ照明装置が照明を点灯させるようにしても良い。
【００７４】
次に、本発明の事務用椅子の第６の実施形態について説明する。なお、上述の事務用椅子の部材と同一の部材については同一の符号を付すと共に、それらの詳細な説明は省略する。
【００７５】
図２１に事務用椅子の要部を、図２２に非接触センサ１及び動作手段２の制御回路をそれぞれ示す。本実施形態では、動作手段２として離れた位置にある時間記録装置２９にオンオフ信号（着席・離席信号）を送信する発信機３０を備えている。即ち、本実施形態の動作手段２の動作は、離れた位置に在る時間記録装置２９にオンオフ信号を送信するものである。発信機３０は、例えば赤外線信号を使用する。ただし、赤外線信号以外の信号を使用しても良い。発信機３０は、非接触センサ１から検出信号の供給を受け始めるとオン信号（着席信号）を送信し、非接触センサ１からの検出信号の供給が停止されるとオフ信号（離席信号）を送信する。つまり、発信機３０は、非接触センサ１のオフからオンへの切り換えによってオン信号を一時的に送信し、非接触センサ１のオンからオフへの切り換えによってオフ信号を一時的に送信する。時間記録装置２９は、発信機３０からのオン信号を受信した時間を着座時間として、オフ信号を受信した時間を離席時間としてそれぞれ記録し、着座中の時間を算出して着座稼働時間の管理や出退勤管理等に使用可能にする。
【００７６】
本実施形態では左側の肘掛け４に発信機３０を設けているが、必ずしもこの構成に限るものではなく、これに加えて又はこれに代えて右側の肘掛け４に発信機３０を設けても良い。あるいはその他の場所に発信機３０を設けても良い。
【００７７】
時間記録装置２９は、例えば、発信機３０からの信号を受信できる受信機３１と、時計機能及び記憶装置を有するコンピュータ３２を備えており、受信機３１がオン信号又はオフ信号を受信した時間を記憶すると共に、これらの時間に基づいて着座中の時間（＝離席時間−着座時間）を算出することができる。
【００７８】
次に、事務用椅子の作動について説明する。発信機３０を使用する場合には予めメインスイッチ１９をオンにしておく（図２３のステップＳ９０）。そして、事務用椅子が使われていない状態では、非接触センサ１は使用者の着座を検出していないので、発信機３０は作動せず、また、発光手段１８は消えている。即ち、待機状態となっている。
【００７９】
この状態から使用者が事務用椅子に座ると（ステップＳ９１）、非接触センサ１が着座者を検出し、検出信号を出力する（ステップＳ９２：センサｏｎ）。この検出信号を受けた発信機３０はオン信号を所定時間送信する（ステップＳ９３）。また、発光手段１８が点灯する。オン信号を受信した時間記録装置２９は受信時間を着座時間として記憶する（ステップＳ９４，Ｓ９５）。
【００８０】
この状態から着座者が離席すると（ステップＳ９６）、非接触センサ１が離席を検出し、検出信号の出力を停止する（ステップＳ９７：センサｏｆｆ）。これにより、発信機３０がオフ信号を送信する（ステップＳ９８）。また、発光手段１８が消灯し、待機状態になる。オフ信号を受信した時間記録装置２９は受信時間を離席時間として記録する（ステップＳ９９，Ｓ１００）。そして、事務用椅子を長時間使用しない場合等には、使用者はメインスイッチ１９をオフにする。
【００８１】
なお、着座時に発信機３０を作動させたくない場合等には、メインスイッチ１９をオフにしておけば良い。
【００８２】
本発明の事務用椅子では、非接触センサ１が着座者の有無を非接触で検出するので、座り心地に影響を与えることが無く、座り心地の悪化を防止することができる。また、着座者の体重が非接触センサ１に作用せず無理な力が掛からないので、非接触センサ１が破損し難く、事務用椅子の故障を防止することができる。さらに、着座者の有無に応じて発信機３０が自動的に操作されるので、着座者がその都度操作を行う煩わしさがなくなり、大変便利であると共に、時間の記録を確実に行うことができる。
【００８３】
また、本実施形態では、発信機３０は非接触センサ１からの検出信号の有無が変化した場合にオン信号又はオフ信号を送信し、時間記録装置２９はオン信号又はオフ信号を受信した場合に時間を記録する構成であったが、必ずしもこの構成に限るものではない。例えば、非接触センサ１から検出信号を受けている間だけ発信機３０がオン信号を発信し続け、このオン信号が送信され続けている時間を着席中の時間として記憶しても良い。
【００８４】
なお、上述の形態は本発明の好適な形態の一例ではあるがこれに限定されるものではなく本発明の要旨を逸脱しない範囲において種々変形実施可能である。
【００８５】
例えば、上述の説明では、非接触センサ１を左側の肘掛け４に設けていたが、右側の肘掛け４に非接触センサ１を設けても良く、あるいは左右両方の肘掛け４に非接触センサ１を設けても良い。
【００８６】
また、上述の説明では、非接触センサ１を肘掛け４の肘載せ部４ｂに設けていたが、非接触センサ１を設ける位置はこれに限るものではなく、例えば肘掛け４の支持部４ｃに設けても良い。また、非接触センサ１を肘掛け４以外の位置に設けても良く、例えば、背もたれ２１の前面下部（図１の符号３４）又は前面側部（図１の符号３５）に設けても良い。即ち、非接触で着座者を検出することができる位置であれば、非接触センサ１の設置が可能である。
【００８７】
また、座８，背もたれ２１等の着座者に接触して支える部分についても、例えば凹みや孔を設けて当該凹みや孔内に非接触センサ１を収容することで、非接触センサ１を着座者に接触しないように設置することが可能になる。この場合には、非接触センサ１の設置位置の選択の自由度が向上する。
【００８８】
さらに、動作手段２として送風装置５又は空気清浄機２２を設けて空気の流れを形成した場合等には、これに加えて、又はこれに代えて、アロマオイルを染み込ませたフィルタ又はアロマオイルを霧化させるディフューザを設け、芳香を漂わせるようにしても良い。
【符号の説明】
【００８９】
１  非接触センサ（検出手段）
２  動作手段
３  バッテリ
４  肘掛け
５  送風装置
６ａ  吸込口
６ｂ  吹出口
７  ファン
１８  発光手段
２１  背もたれ
【図２】
2012196335.tif 000003
【図３】
2012196335.tif 000004
【図４】
2012196335.tif 000005
【図５】
2012196335.tif 000006
【図６】
2012196335.tif 000007
【図７】
2012196335.tif 000008
【図８】
2012196335.tif 000009
【図９】
2012196335.tif 000010
【図１０】
2012196335.tif 000011
【図１１】
2012196335.tif 000012
【図１２】
2012196335.tif 000013
【図１３】
2012196335.tif 000014
【図１４】
2012196335.tif 000015
【図１５】
2012196335.tif 000016
【図１６】
2012196335.tif 000017
【図１７】
2012196335.tif 000018
【図１８】
2012196335.tif 000019
【図１９】
2012196335.tif 000020
【図２０】
2012196335.tif 000021
【図２１】
2012196335.tif 000022
【図２２】
2012196335.tif 000023
【図２３】
2012196335.tif 000024
【図２４】
2012196335.tif 000025
【図１】
2012196335.tif 000026